(57)【要約】【課題】２つの支軸で回動可能に保持される表示部を有する装置において、表示部の位置によって、操作方向と表示方向が一致せず、操作し難い状況となる。【解決手段】映像表示を行う表示部１４ａを第１、第２の軸からなる回動手段３１で回動自在に保持する。第１の位置で表示部１４ａが本体部に収納され、第２の位置で表示部１４ａが第１の位置から少なくとも第１の軸が略９０度回動された状態（撮影状態）となり、第３の位置で表示部１４ａが第１の位置から少なくとも第２の軸が略１８０度回動された状態（再生状態）となる。操作部１１で、表示部１４ａの表示内容を操作する際に、表示部１４ａの位置を位置検出部３２で検出し、制御部３３で第２の位置と第３の位置とで操作方向と表示方向との関係を変更する。【選択図】図１３
2005086476.tif 000002
【特許請求の範囲】
【請求項１】
映像表示を行う表示部と、前記表示部を第１の軸と第２の軸とで回動自在に保持する本体部とを備え、
第１の位置で前記表示部が前記本体部に収納され、第２の位置で前記表示部が前記第１の位置から前記第１の軸が略４５度以上回動された状態となり、第３の位置で前記表示部が前記第１の位置から少なくとも前記第２の軸が略１３５度以上回動され前記第１の軸の回動が９０度未満の状態となり、
前記本体部は、前記表示部の表示内容を操作する操作部と、前記第２の位置と前記第３の位置とで操作方向と表示方向とを変換する制御部とを有することを特徴とする表示装置。
【請求項２】
前記本体部は、前記第１、第２または第３の位置の何れかを検出する位置検出手段を備え、前記制御部は、前記位置検出手段の検出結果により前記操作部から操作情報を変換して前記表示部に出力する、請求項１記載の表示装置。
【請求項３】
前記表示部が前記第１の位置から少なくとも前記第１の軸が略９０度回動された状態を前記第２の位置とする請求項１または２記載の表示装置。
【請求項４】
前記表示部が前記第１の位置から前記第２の軸が略１８０度回動された状態を前記第３の位置とする請求項請求項１または２記載の表示装置。
【発明の詳細な説明】
【技術分野】
【０００１】
本発明は、回動自在に保持される表示部を有する表示装置に関する。
【背景技術】
【０００２】
近年、デジタルスチルカメラ、デジタルムービー、カメラ付き携帯電話など、種々のモバイル機器が普及している。この様な機器には、表示手段としてモニタ装置を有し、この種のモニタ装置は一般に液晶表示器（ＬＣＤ）等で構成される。
【０００３】
また、特許文献１に記載された様な２軸のヒンジ機構を採用してモニタ装置を保持するモバイル機器も多く見受けられ、モニタ装置の位置を色々な態様で用いることができ、その利便性を向上することができる。
【特許文献１】特開平１０−２８５４４４号公報
【発明の開示】
【発明が解決しようとする課題】
【０００４】
しかしながら、従来の構成では、本体部に対してモニタ装置を様々な態様に位置することができるが、表示されるメニュー、アイコン、サムネイルなどを本体部に有する操作手段によって操作する際に、モニタ装置の位置との関係について、それ程重視されておらず、必ずしも操作性に優れたものではなかった。
【０００５】
本発明は上記従来の課題を解決するもので、表示部の位置によらず操作し易い表示装置を提供することを目的とする。
【課題を解決するための手段】
【０００６】
この目的を達成するために本発明の表示装置は、映像表示を行う表示部と、表示部を第１、第２の軸の２軸で回動自在に保持する本体部とを備え、第１の位置で表示部が本体部に収納され、第２の位置で表示部が第１の位置から第１の軸が略４５度以上回動された状態となり、第３の位置で表示部が第１の位置から第１の軸が９０度未満、第２の軸が略１３５度回動された状態となり、本体部は、表示部の表示内容を操作する操作部と、第２の位置と第３の位置とで操作方向と表示方向とを変換する制御部とを有するものである。
【発明の効果】
【０００７】
これにより、本発明によれば、本体部と表示部との相対位置関係が異なる第２、第３の位置において、操作部による操作方向と、これに基づく表示部への表示方向を異ならせるので、第２、第３の位置において適切な操作環境を得ることができる。
【発明を実施するための最良の形態】
【０００８】
本発明の請求項１に記載の発明は、映像表示を行う表示部と、前記表示部を第１の軸と第２の軸とで回動自在に保持する本体部とを備え、第１の位置で前記表示部が前記本体部に収納され、第２の位置で前記表示部が前記第１の位置から少なくとも前記第１の軸が略４５度以上回動された状態となり、第３の位置で前記表示部が前記第１の位置から少なくとも前記第２の軸が略１３５度以上回動され前記第１の軸の回動が９０度未満の状態となり、前記本体部は、前記表示部の表示内容を操作する操作部と、前記第２の位置と前記第３の位置とで操作方向と表示方向とを変換する制御部とを備えるものである。
【０００９】
また、請求項２に記載の発明は、請求項１に係る発明において、前記本体部は、前記第１、第２または第３の位置の何れかを検出する位置検出手段を備え、前記制御部は、前記位置検出手段の検出結果により前記操作部から操作情報を変換して前記表示部に出力するものである。
【００１０】
また、請求項３に記載の発明は、請求項１または２に係る発明において、前記表示部が前記第１の位置から少なくとも前記第１の軸が略９０度回動された状態を前記第２の位置とするものである。
【００１１】
また、請求項４に記載の発明は、請求項１または２に係る発明において、前記表示部が前記第１の位置から前記第２の軸が略１８０度回動された状態を前記第３の位置とするものである。
【００１２】
これにより、本体部と表示部との位置が異なる第２、第３の位置において、操作部による操作方向と、これに基づく表示方向を異ならせることができるので、表示部の各位置において都合の良いユーザーインタフェースを提供することができる。
【００１３】
以下、本発明の実施の形態について、図面を用いて説明する。
【００１４】
（実施の形態１）
図１は、本発明の実施の形態による表示装置の構成を示す外観図であり、撮像表示部１４を本体部１６に収納した状態を示している。図２は同斜視図、図３は撮像表示部１４を約４５度回動させた状態を本体部１６のストロボ１２側から見た側面図、図４は撮像表示部１４を水平状態（収納状態から約９０度）まで回動させた状態を本体部１６のストロボ１２側から見た側面図、図５は図４の矢印Ｄ方向から見た側面図、図６は図５，６に示す水平状態から表示部１４ａを支軸１９により約４５度回動させた状態を示す斜視図で、同図（ａ）は操作ユニット１５の先端１５ａ側から、同図（ｂ）は操作部１１側から見たものである。図７は図６の状態から表示部１４ａをさらに４５度回動させて表示画面１８が垂直状態となった状態を操作部１１側から見た側面図、図８は図７の状態と同様であり、図５の状態から表示部１４ａを矢印Ｅ方向に約９０度回動させた状態を示す側面図、図９は図７，８の状態から表示部１４ａを更に約９０度回動させた状態を示す斜視図、図１０は図９の状態から表示部１４ａを更に約９０度回動させた状態を示す斜視図で、同図（ａ）は操作部１１側から、同図（ｂ）は操作ユニット１５の先端１５ａ側から見たものであり、いわゆる自分撮りの状態である。図１１は図９に示す状態から矢印Ｈ方向に約９０度回動させ表示画面１８を表にした状態で表示部１４ａを収納した状態を示す斜視図である。
【００１５】
図１〜図１１において、１０は内部に記録媒体（固定あるいは着脱自在）を有し撮影した画像を記録媒体に対して記録再生可能な装置本体であり、デジタルスチルカメラのように静止画撮影モード及びその再生モードの他、ビデオカメラのような動画撮影モード及びその再生モードやオーディオレコーダのような音楽録音モード及び再生モード等の機能を備えてもよい。１１は本装置の各種操作を行う操作手段である操作部で、１１ａは押すことで静止画撮影を行うことができ、動画撮影モードでは１回押す毎に録画開始／録画停止を繰り返すシャッタボタン及びカーソルキーで、１１ｂはホワイトバランス等の操作ボタンである。なお、本実施の形態では１１ａをシャッタボタン及びカーソルキーとしたが、スイッチ機能を合わせ持つトラックボールやポインティングデバイスなどの他の操作部としてもよい。１２は夜間撮影など光量が不足した撮影環境で発光させるストロボ手段であるストロボ、１３は周囲の音声を集音するマイクロホン、１５は被写体を撮像するための撮像ユニットで、レンズなどの光学系部品や絞りや個体撮像素子などからなる。１５ａは撮像ユニット１５の光軸方向の先端で、例えば対物レンズからなる。先端１５ａの光軸方向は、ストロボ１２ｎ発光方向と略同一である。１８は撮像中の映像や記録媒体から再生された映像や各種メニュー、アイコン、サムネイルなどを表示する表示画面で、例えば液晶モニタ（ＬＣＤ）からなる。
【００１６】
１４は表示手段である表示部１４ａと撮像手段である撮像部１４ｂとが一体となった撮像表示部で、撮像部１４ｂにはマイク１３と撮像ユニット１５とを備え、表示部１４ａには表示画面１８を備えている。また表示部１４ａは撮像部１４ｂに対して支軸１９（第２の軸）を軸に回動自在に保持されている。なお、支軸１９は撮像ユニット１５の光軸と直交する方向に配されている。１７は撮像表示部１４における撮像ユニット１５の近傍を挿通する支軸（第１の軸）で、撮像ユニット１５の光軸と略平行になるように配されている。１６は支軸１７の両端を保持し撮像表示部１４を回動自在に保持した本体部で、本体部１６の一方の側面には操作部１１を有し、他方の側面にはストロボ１２を設けている。つまり、操作部１１が設けられた側面は撮影時に撮影者側を向き、ストロボ１２が設けられた側面は被写体側を向くように、互いに対向した側面に配されている。１６ａは本体部１６に設けられ撮像部１４ｂが収納される開口部である。
【００１７】
なお、撮像表示部１４は、図１及び図２に示す状態を第１の位置とし、図４〜図１０に示す状態を第２の位置とし、図１１に示す状態を第３の位置とする。また、本体部１６の上端部（図１（ｂ）の２４で囲んだ部分）を切り欠き、これにより、装置本体１０の小型化を図ることができる。
【００１８】
以上のように構成された本実施の形態の表示装置について、以下その動作について説明する。
【００１９】
まず、本装置を使用していない状態、つまり撮像表示部１４を本体部１６に収納した状態について説明する。
【００２０】
図１及び図２に示すように、本装置を使用していない状態では、撮像表示部１４は本体部１６に対して収納された状態となっている。撮像部１４ｂは本体部１６に設けられた開口部１６ａに収納されており、図１（ａ）及び（ｃ）に示すように、側面から見ると撮像部１４ｂは本体部１６の最外郭から大きく突出するような部位はなく、ほぼ面一となっている。この状態では、撮像部１４ｂに設けられた撮像ユニット１５の先端１５ａは外部に露出しないような位置にあり、かつ先端１５ａが本体部１６の内面と僅かな隙間を隔てて対向する状態となるので、先端１５ａを傷などから保護することができる。
【００２１】
一方、表示部１４ａは、本体部１６のＬ字凹部１６ｂに収納されており、表示画面１８は外部に露出しない状態になるので、表示画面１８を傷などから保護することができる。また表示部１４ａは、撮像部１４ｂと同様に図１に示すように、本体部１６の最外郭よりも大きく突出する部位はなく、ほぼ面一となっている。このように撮像表示部１４が本体部１６に対して収納された状態では、各側面がほぼ面一となり、鞄やシャツのポケットなどに収納する際に各部位が引っかからず、携帯性に優れるものである。
【００２２】
次に、収納状態から撮影可能状態へ移行するまでの動作について説明する。
【００２３】
図１及び図２に示す収納状態から、図１（ｃ）の矢印Ａのように表示部１４ａを持ち上げると、撮像表示部１４は支軸１７を軸に回動を始める。図３は、撮像表示部１４を収納状態から矢印Ａ方向へ約４５度回動させた状態である。この時に装置内部に設けられたスイッチ（図示せず）がＯＮとなり、装置の電源が投入される。このような構成にすることで、専用の電源スイッチが不要となる。装置の電源が投入されると、撮像部１４ｂに設けられた撮像ユニット１５が、先端１５ａを介して入射される光信号を撮像し、表示部１４ａの表示画面１８に撮像した映像を表示するが、シャッタボタン１１ａを操作しない限り、静止画や動画の記録は行われない。
【００２４】
なお、本実施の形態では、撮像表示部１４が図３の状態になった時に、装置本体１０の電源が投入される構成としたが、後述する図４，５の略水平状態、図７，８の撮影可能状態、あるいは図１，２の収納状態から少しでも支軸１７が回動した状態などにおいて、電源投入される構成としてもよい。
【００２５】
また、使い勝手向上のために撮像表示部１４の回動に伴い装置本体１０の電源が自動的に投入されるようにしたが、別途電源スイッチを設けて使用者が任意に電源ＯＮ／ＯＦＦを行う構成としてもよい。
【００２６】
図３の状態から撮像表示部１４をさらに矢印Ｂ方向へ回動させると、図４，５に示すように撮像表示部１４が略水平状態になるまで回動させることができる。この時、撮像部１４ｂの一部が、本体部１６の開口部１６ａの内面に当接し、撮像表示部１４は矢印Ｃ方向への回動ができないようになっている。
【００２７】
次に、図５に示すように表示部１４ａを矢印Ｅ方向に支軸１９を軸に回動させ、約４５度回動させた状態が図６である。さらに表示部１４ａを約４５度回動させると、図７及び図８に示す状態となる。
【００２８】
図７及び図８の状態では、表示部１４ａは略垂直状態となり、表示部１４ａに設けられた表示画面１８は、本体部１６における操作部１１が設けられた側面と同方向を向く位置となる。
【００２９】
つまり、使用者（撮影者）は被写体を撮影する際、操作部１１側を自分の方に向け、撮像ユニット１５の先端１５ａを被写体側に向けるため、図示の状態では表示画面１８は使用者側を向くことになる。使用者は被写体の撮影を行う時、表示画面１８に表示された映像を見ながら、任意のタイミングでシャッタボタン１１ａを押すことで、静止画を記録媒体（図示せず）に記録することができる。また、本装置が動画撮影モードになっている場合は、シャッタボタン１１ａを１回操作すると動画撮影を開始し、もう１回押すと動画撮影が停止する。
【００３０】
なお、１１ｃは操作部１１の一部で本装置の各種モードを切り替えるモードスイッチであり、撮像部１４ｂの側面に設けられており、撮像表示部１４の収納状態では目視できない位置に移動する。
【００３１】
また、本体部１６の側面にはストロボ１２が設けられており、夜間撮影時や暗いところなど光量が足りない撮影環境において発光させることで、ストロボ撮影が可能となる。
【００３２】
また、撮像部１４ｂにはマイクロホン１３が設けられており、動画撮影モードの時にシャッタボタン１１ａを操作して動画撮影を開始すると、マイクロホン１３で音声を収音し、記録媒体に音声信号を記録する。さらに本装置には、映像を記録せずに周囲の音声のみを記録するボイスレコーダモードを有し、ボイスレコーダモードを動作させる時はマイクロホン１３で周囲の音声を収音し、記録媒体に記録することができる。
【００３３】
なお、本説明では図７及び図８に示すように表示部１４ａが略垂直状態となっている状態で静止画撮影などを行う説明をしたが、表示部１４ａは支軸１９を軸に回動可能な構成となっているので、支軸１９を軸にして表示部１４ａを任意の角度傾け、表示画面１８を使用者が見やすい角度にすることが可能である。
【００３４】
次に、撮像表示部１４を本体部１６へ収納する動作を説明する。
【００３５】
図７及び図８に示す状態から、表示部１４ａを支軸１９を軸に回動させて、図４及び図５に示すように表示画面１８が下方向を向くように、表示部１４ａを略水平状態にする。次に、撮像表示部１４を支軸１７により、図５の矢印Ｆ方向へ回動させることにより、図３の状態を介して、図１及び図２に示すように、表示部１４ａは本体部１６の凹部１６ｂに収納されるとともに、撮像部１４ｂは本体部１６の開口部１６ａに収納される収納状態となる。
【００３６】
前述したように図１及び図２に示す収納状態では、表示部１４ａに設けられた表示画面１８と、撮像部１４ｂに設けられた撮像ユニット１５の先端１５ａとが、外部に露出しない状態にすることができる。
【００３７】
次に、本装置を用いた対面撮影（自分撮り）について説明する。
【００３８】
まず、前述した手順により、図１及び図２の収納状態から図７及び図８に示す撮影可能状態へ移行する。図８に示す撮影可能状態から、表示部１４ａを矢印Ｇ方向へ支軸１９を軸に約９０度回動させ、図９に示す状態にする。図９において、表示画面１８は上方向を向いている。
【００３９】
次に、図９に示す状態から表示部１４ａを、矢印Ｇと同方向へさらに約９０度回動させ、図１０の対面撮影状態にする。図１０に示すように対面撮影状態では、図１０（ｂ）に示すように表示画面１８は撮像ユニット１５の先端１５ａの光軸と同方向を向いた状態となる。この状態で、撮影者は先端１５ａ及び表示画面１８を撮影者自身の方へ向けることで、表示画面１８に撮影者自身の映像が表示されるので、撮影者は表示される映像を見ながら画角設定などを行い、図１０（ａ）に示すシャッタボタン１１ａを押すことで、撮影者自身を撮影することができる。なお、図１０に示す対面撮影状態にした時、表示画面１８に表示される映像は、図７及び図８の状態で表示される映像に対して、内部の信号処理で上下反転した映像が表示される。
【００４０】
次に、本装置を用いた他の使用例について説明する。
【００４１】
図１１は表示画面１８を目視可能な状態で、撮像表示部１４を本体部１６に収納した状態を示す斜視図である。まず、図１１に示す状態へ移行させるには、前述の図９に示す状態にした後、撮像表示部１４を矢印Ｈ方向へ支軸１７を軸に回動させることで実現することができる。
【００４２】
図１１に示す状態では、表示画面１８が目視可能な状態となっており、撮像ユニット１５の先端１５ａは本体部１６により外部に露出しない状態となっている。この状態では、当然ながら撮像ユニット１５を用いた被写体撮影を行うことはできない。この状態では、本装置を記録媒体に記録した静止画や動画を再生する再生モードにし再生映像を表示画面１８に表示させた場合や、前述したボイスレコーダー機能を動作させた際のカウンタ表示やオーディオプレーヤ機能のプレイリスト表示や対応静止画などを表示画面１８に表示させた場合に、図１０の状態に比べて、装置本体１０を手で保持する際の自由度が高くなる。つまり、表示画面１８を目視可能な状態にしたままで本体部１６に収納することで、使用者は装置本体１０を自由な方向や角度で持つことができる。
【００４３】
ところで、装置本体１０の操作によって、映像や音声の記録再生機能を行う以外にも、各種メニュー、各種アイコン、サムネイル画像などを表示画面１８に表示し、これを操作部１１（シャッタボタン及びカーソルキー１１ａ）により選択決定する。この場合、図１２（ａ）に示す表示画面１８のＸ−Ｙ座標に対して、図１２（ｂ）に示すシャッタボタン及びカーソルキー１１ａの操作方向の対応は、Ｘ１方向にカーソルキーを動かすと表示画面１８上のカーソル等はＸ方向に動き、Ｙ１方向に動かすとＹ方向に動く。これは、図７に示す状態（第２の位置）においては、操作方向と動作方向が一致しており都合がよい。
【００４４】
一方、図１１に示す状態（第３の位置）において、同様の操作を行うとすると、本体部１６を横にして操作することになり、図１２（ｃ）に示すシャッタボタン及びカーソルキー１１ａの操作方向の対応は、Ｘ２方向にカーソルキーを動かすと表示画面１８上のカーソル等はＹ方向に動き、Ｙ２方向に動かすと−Ｘ方向（Ｘ方向とは逆の方向）に動き、操作方向と表示方向とが一致しておらず操作し難いものとなる。
【００４５】
そこで、本実施の形態における表示装置は、図１３に示す構成を有し、支軸１７，１９からなる回動手段３１の状態を検出し現在の状態を検知する位置検出部３２と、操作部１１（少なくともシャッタボタン及びカーソルキー１１ａ）からの操作情報を位置検出部３２からの位置情報によって変換し、表示部１４ａに出力する。
【００４６】
ここで、位置検出部３２は、支軸の回動に合わせて入切されるスイッチ等の機構によって実現される。また操作部１１は様々な手段で実現することができ、例えば、トラックボールなどのポインティングデバイスであってもよい。
【００４７】
制御部３３の動作を説明する。例えば、図７に示すように、第１の位置（図１及び図２）から少なくとも支軸１７が約９０度回動している状態（第２の位置）を検知する場合は、図１２に示す通り、操作部１１からの操作情報がＸ１方向の場合はＸ方向に、Ｙ１方向の場合はＹ方向として、表示部１４ａに出力する。また、図１１に示すように、第１の位置（図１及び図２）から少なくとも支軸１９が約１８０度回動している状態（第３の位置）を検知する場合は、図１２に示す通り、操作部１１からの操作情報がＸ２方向の場合はＸ方向に、Ｙ２方向の場合はＹ方向として、表示部１４ａに出力する。
【００４８】
以上のように本実施の形態によれば、少なくとも映像表示を行う表示部１４ａを有する撮像表示部１４と、表示部１４ａおよび撮像表示部１４とを支軸１７，１９により回動可能に（直接および間接に）保持する本体部とを備え、撮像表示部１４が支軸１７により約９０度回動された第２の位置と、表示部１４ａが支軸１９により約１８０度回動された第３の位置とで、操作部１１による操作方向と、表示部１４ａの表示画面１８に示す表示方向との対応を変換するので、表示部１４ａの位置に依らず、快適な操作環境を実現することができる。
【００４９】
なお、本実施の形態では、表示部１４ａと撮像部１４ｂとが一体となり回動する構造について説明したが、表示部１４ａのみが本体部１６に対して２軸のヒンジ機構により回動する構造としてもよい。
【００５０】
また、本実施の形態では、第２の位置を、図１に示す第１の位置から第１の軸（支軸１７）が略９０度回動した状態としたが、第１の軸（支軸１７）が略４５度以上回動した状態（例えば図３に示す状態）としてもよい。ただし、図３に示した状態で撮像表示部１４を支軸１９により約１３５度回動した場合は、第３の位置とする。
【００５１】
また、本実施の形態では、第３の位置を、第１の位置から第２の軸（支軸１９）のみが略１８０度回動した状態（図１１に示す状態）としたが、第１の軸（支軸１７）が９０度未満回動した状態で、第２の軸（支軸１９）が略１３５度以上（〜２２５度程度まで）回動した状態を第３の位置としてもよい。即ち、第１の軸が０度でなくともよく、第２の軸が１８０度±４５度程度の幅で表示画面１８が概ね操作部１１側から良好に見える角度に支軸１９を回動させればよい。
【００５２】
また、上記の第１〜第３の位置を決定する第１及び第２の軸の回動角は、全体のデザインや操作部の位置により、適宜変更することができ、上記数値の限りではない。
【産業上の利用可能性】
【００５３】
本発明にかかる表示装置は、本体部と表示部との相対位置関係が異なる複数の位置において、操作部による操作方向と、これに基づく表示方向を異ならせるので、複数の位置毎において適切な操作環境を得ることができ、回動自在に保持される表示部を有する表示装置等として有用である。
【図面の簡単な説明】
【００５４】
【図１】本発明の実施の形態１による表示装置の全体構成を示す外観図
【図２】同表示装置の斜視図
【図３】同表示装置において撮像表示部を約４５度回動させた状態を示す側面図
【図４】同表示装置において撮像表示部を水平状態まで回動させた状態を示す側面図
【図５】同表示装置の図４における側面図
【図６】同表示装置において撮像表示部の水平状態から表示部を回動させた状態を示す斜視図
【図７】同実施の形態において撮像表示部の水平状態から表示部を垂直状態まで回動させた状態を示す側面図
【図８】同表示装置の図７における側面図
【図９】同表示装置において表示部の垂直状態からさらに回動させた状態を示す斜視図
【図１０】同表示装置において対面撮影状態を示す斜視図
【図１１】同表示装置において再生モード時の使用例を示す斜視図
【図１２】同表示装置において操作部の操作方向と表示部の表示方向の関係を示す概念図
【図１３】同表示装置の構成を示すブロック図
【符号の説明】
【００５５】
１１    操作部
１２    ストロボ
１４    撮像表示部
１４ａ    表示部
１４ｂ    撮像部
１５    撮像ユニット
１５ａ    先端
１６    本体部
１７，１９    支軸
１８    表示画面
【図１】
2005086476.tif 000003
【図２】
2005086476.tif 000004
【図３】
2005086476.tif 000005
【図４】
2005086476.tif 000006
【図５】
2005086476.tif 000007
【図６】
2005086476.tif 000008
【図７】
2005086476.tif 000009
【図８】
2005086476.tif 000010
【図９】
2005086476.tif 000011
【図１０】
2005086476.tif 000012
【図１１】
2005086476.tif 000013
【図１２】
2005086476.tif 000014
【図１３】
2005086476.tif 000015